(57)【要約】      （修正有）【課題】ＬＥＤなどを使用した照明器具に使用して好適な口金アダプターおよびこれを使用した照明器具を提供する。【解決手段】この口金アダプター２０は、筒状のアダプター本体２１と、その一端側に設けられた口金装着部４０と、他端側に設けられたソケット装着用電極ピン２４と、アダプター本体内に取り付けられた放電針３１を有するイオン発生器とからなる。放電針はアダプター本体の周壁に形成された貫通孔内に臨むように取り付けられる。口金アダプターを使用することで、ＬＥＤを使用した照明器具本体の管長を短くしながら室内にマイナスイオンを放出できる。口金アダプターは照明器具本体に装着された状態で使用される。【選択図】図１
0003189543.tif 000002
【実用新案登録請求の範囲】
【請求項１】
筒状のアダプター本体と、
その一端側に設けられた口金装着部と、
他端側に設けられたソケット装着用電極ピンと、
上記アダプター本体内に取り付けられた放電針を有するイオン発生器とで構成され、
上記放電針はアダプター本体の周壁に形成された貫通孔内に臨むように取り付けられた
ことを特徴とする口金アダプター。
【請求項２】
上記口金装着部には上記照明器具本体に対する係合片が設けられた
ことを特徴とする請求項１記載の口金アダプター。
【請求項３】
一対の電極ピン付き口金を有する照明器具本体と、
一方の口金に着脱自在に装着される口金アダプターとからなり、
上記口金アダプターは一端側に口金装着部を備え、他端部に一対の電極ピンを備えると共に、上記口金アダプターにはマイナスイオンを外部に放出するための放電針を有するイオン発生器が内蔵されてなる
ことを特徴とする照明器具。
【考案の詳細な説明】
【技術分野】
【０００１】
この考案はＬＥＤなどを使用した照明器具に使用して好適な口金アダプターおよびこれを使用した照明器具に関する。
【背景技術】
【０００２】
蛍光管を使用した照明器具（蛍光灯）にイオン発生器を内蔵させ、蛍光灯の点灯時イオン発生器からマイナスイオンを室内に放出させることで室内環境を改善するようにしたイオン発生器内蔵型の照明器具が知られている（特許文献１）。
【０００３】
これに対して長寿命で、節電を指向した照明器具としてＬＥＤ（発光ダイオード）を使用した照明器具が市販されており、このようなＬＥＤ使用の照明器具にもイオン発生器を内蔵させたものが知られている（非特許文献１）。
【先行技術文献】
【特許文献】
【０００４】
【特許文献１】特開２００８−６６２６７号
【非特許文献】
【０００５】
【非特許文献１】http://nc-ltd.jp/
【考案の概要】
【考案が解決しようとする課題】
【０００６】
ところで、ＬＥＤを使用した照明器具にイオン発生器を内蔵させる場合には以下のような問題が考えられる。 
i）  ＬＥＤ使用の照明器具は現在でもまだ高価である。イオン発生器内蔵型ではさらに高価である。ＬＥＤなどが断線したり、イオン発生器が故障してマイナスイオンが放出されなかったりのトラブルがあると、高価なイオン発生器内蔵型の照明器具全体を取り替えることが必要な場合がある。
【０００７】
このリスクを回避するには、イオン発生器を別体構成とした方が好ましい。それは、いずれか一方だけを交換すれば足りるからであり、経済的でもある。
ii）  技術的な進歩により、ＬＥＤの発光効率が改善されているので、ＬＥＤの個数を削減しても、従来と遜色のない明るさを確保できる。
したがって、従来と同じ管長で、同じ明るさであるならば、従前の管長よりも短くできるし、材料費も節約できるから安価な照明器具を提供できる。
【０００８】
iii）  イオン発生器自体を照明器具の管内に内蔵させるには、イオン発生用の駆動回路などを小型化する必要があるので、余裕をもった設計ができない。
【０００９】
そこで、この考案ではこのような従来の課題を解決したものであって、照明器具の管内に内蔵させないでもマイナスイオンを発生させることのできる口金アダプターおよびこれを使用した照明器具を提案するものである。
【課題を解決するための手段】
【００１０】
上述した課題を解決するためこの考案に係る口金アダプターは、筒状のアダプター本体と、その一端側に設けられた口金装着部と、他端側に設けられたソケット装着用電極ピンと、アダプター本体内に取り付けられた放電針を有するイオン発生器とからなる。放電針はアダプター本体の周壁に形成された貫通孔内から外方に臨むように取り付けられたことを特徴とする。
【００１１】
また、この考案に係る照明器具は、一対の電極ピン付き口金を有する照明器具本体と、一方の口金に着脱自在に装着される口金アダプターとからなり、口金アダプターは一端側に口金装着部を備え、他端部にソケットへの差し込み用の一対の電極ピンを備えると共に、マイナスイオンを外部に放出するための放電針を有するイオン発生器が内蔵されてなることを特徴とする。
【考案の効果】
【００１２】
この考案に係る口金アダプターは照明器具本体に装着した状態で使用される。この口金アダプター付きの照明器具本体がフレームのソケットに装着されてこの考案に係る照明器具となる。
【００１３】
天井等に設置された照明器具用のフレームを流用する場合、一対のソケットの幅は決まっているので、口金アダプターの長さ分だけ照明器具本体の管長が短く設計される。口金アダプターはイオン発生機能を有すると共に、管長補正用としても機能する。
【００１４】
ＬＥＤからなる照明器具本体の管長を従前よりも短くしてもＬＥＤそのものの発光効率が改善されているので、従前の明るさと同じ明るさであるならば、ＬＥＤの個数を少なくして管長を短くしても従前と遜色のない明るさを確保できるし、経済的でもある。
【００１５】
イオン発生器に設けられた放電針は口金アダプター本体の周壁より外部に開放されているので、照明器具が点灯状態になると同時にイオン発生器にも電源が供給されて放電針からマイナスイオンが発生する。放電針は室内に向いているので、室内に放出されたマイナスイオンによって除菌、滅菌等が行われるため、室内環境が改善する。
【００１６】
イオン発生器は、管内に内蔵させるよりもアダプター本体に内蔵させた方が、多少なりともスペース的に余裕ができるので、駆動回路（昇圧部）や放電針の取り付けなどの設計が容易になる。管長が短くなる分照明器具本体を安価に提供できる。
【００１７】
イオン発生器を内蔵した照明器具では、ＬＥＤなどが断線したり、イオン発生器が故障してマイナスイオンが放出されなかったりのトラブルがあると、高価なイオン発生器内蔵型の照明器具全体を取り替えることが必要な場合があるが、この考案によればいずれか一方だけを交換すれば足りるので経済的でもある。
【図面の簡単な説明】
【００１８】
【図１】この考案に係る口金アダプターおよびこの口金アダプターを使用した照明器具の一例を示す概念図である。
【図２】口金アダプターの正面図である。
【図３】その側面図である。
【図４】口金アダプターの使用状態を判り易く示した断面図である。
【図５】口金装着部を示す図である。
【図６】口金装着部への口金装着状態を示す断面図である。
【図７】放電針の取り付け状態を示す断面図である。
【考案を実施するための形態】
【実施例】
【００１９】
続いて、この考案に係る口金アダプターおよびこれを使用した照明器具の一例を説明する。
【００２０】
図１は考案に係る照明器具１０の一例を示す。この例は従前の直管型蛍光灯で使用されているフレームをそのまま流用した場合の実施例であって、照明器具１０はフレーム１０Ａと照明器具本体（器具本体）１０Ｂとで構成される。天井などに設置されたフレーム１０Ａには一対のソケット２が取り付けられている。
【００２１】
器具本体１０Ｂは管体１１と、管体１１の両側に設けられた口金１３，１３とで構成される。一方、この例では左側の口金１３には後述する口金アダプター２０が装着されると共に、管体１１に口金アダプター２０を取り付けた状態でソケット２，２に装着されて使用される。
【００２２】
ここで、従前からのフレーム１０Ａを使用する場合、一対のソケット２，２間の長さは以前から使用されている蛍光灯の管長と同じ長さである。したがって器具本体１０Ｂの長さもそれに合わせて設計され、管体１１の長さＬａに口金アダプター２０の長さＬｂを合わせた長さがソケット２，２間の長さＬとなるように設計されている。
【００２３】
管体１１は所定の内径を有する半割構成の中空管体であって、その内部には長手方向に延設された回路基板１７を有する。管体１１は樹脂製であっって、内装される回路基板１７には複数の発光体としてのこの例ではＬＥＤ（発光ダイオード）１８が所定の間隔を保持して複数個実装される。
【００２４】
口金アダプター２０の分だけ管体１１の長さＬａが通常のＬＥＤ蛍光灯よりも短くなるが、近年の技術の進歩によって少ない個数でも、同じ明るさを実現できる。したがって管体１１の長さＬａが短くても従前と遜色のない明るさを得ることができる。
【００２５】
ＬＥＤ蛍光灯と同じように、管体１１の左右両端部にはそれぞれ口金１３，１３が設けられており、口金１３，１３の一部は装着胴部１４，１４として機能し、これら装着胴部１４，１４の外側に上述したソケット２，２に装着される電極ピン１５，１５が突出して設けられている。電極ピン１５，１５はそれぞれ２本設けられているが、照明器具１０の点灯形式によってその何れか一方若しくは双方が電極として使用される。
【００２６】
図１および図２以下を参照して口金アダプター２０について説明する。口金アダプター２０は筒状をなす所定長Ｌｂのアダプター本体２１を有し、その一端側この例では右端側に口金装着部４０が設けられ、左端側に口金部２３が設けられると共に、アダプター本体２１の内部（胴体内部）に後述するイオン発生器３０が内蔵されている。
【００２７】
個々の構成について以下説明する。口金装着部４０は管体１１に設けられた左側の口金１３に装着するためのもので、口金装着部４０の周縁の一部から所定幅と長さを有する係合片（係止片）５０が口金装着部４０と一体形成されている。係合片５０の長さは口金１３の本体の長さ（装着胴部１４を除く）にほぼ等しくなされ、図４のように装着胴部１４を口金装着部４０に完全に装着したとき、この口金１３の本体と管体１１との間に形成された段部に、係合片５０の先端部に設けられた係合突起５１が係合するようにそれぞれの寸法関係が選定されている。
【００２８】
口金装着部４０と係合片５０の相互作用によって、後述するように口金アダプター２０を管体１１に確実に固定できる。図２において、キャップ５５は電極ピン２４，２４をカバーするための保護キャップである。
【００２９】
図３に示すように、係合突起５１にはその内側に突子５２が設けられているが、これは口金アダプター２０を管体１１から容易に着脱できるようにするために設けられているが、これを省いた構成とすることもできる。
【００３０】
図４は、管体１１に口金アダプター２０を装着した状態の両者の関係と、内部構造および一対の電極ピン２４，２４の関係を説明するために要部を切断した断面図である。
口金アダプター２０に設けられた口金装着部４０は、環状フランジ４１を有する。環状フランジ４１の深さは口金１３に設けられた装着胴部１４の長さと等しく、その口径（内径）は装着胴部１４の外径と等しくなるように選定される。環状フランジ４１によって口金アダプター２０本体を管体１１に固定するものであるから、装着胴部１４の環状フランジ４１への装着は緩みのないようになされることは言うまでもない。
【００３１】
図４および図５に示すように、口金装着部４０の底部４２の所定個所には２個の空孔４３，４３が穿設されているが、これら空孔４３，４３は電極ピン１５を差し込むための孔であって、図４に示すように装着胴部１４に設けられた一対の電極ピン１５，１５が挿入されたときこれらと対向する位置に穿設されると共に、これら電極ピン１５，１５のピン径よりも若干太めの内径となされている。
【００３２】
底部４２の裏側つまり、アダプター本体２１側に面した底部裏面側には、図４及び図５に示すように一対の空孔４３，４３内に多少突出するようにそれぞれ電極切片４５，４５が取着され、図６のように空孔４３，４３内に差し込まれた電極ピン１５と接触して導通が取れるようになされている。電極切片４５，４５を底部４２に取り付けるため、底部４２の裏面には図５のように電極切片４５，４５の取着位置に切片取り付け片４８，４８が底部４２と一体成形されている。図５の孔４４，４４は一体成形時に必要な抜き孔である。
【００３３】
底部４２の裏側周面には図６に示すような環状係合部（リングフランジ）４７が底部４２と一体形成され、この環状係合部４７を利用して口金装着部４０がアダプター本体２１の内面に嵌合固定される。その固定をより強固にするため図５のように固定ネジ４９，４９が使用されている（図４では省略されている）。
【００３４】
図４のようにアダプター本体２１の内部にはイオン発生器３０が内蔵されている。この例では、イオン発生器３０として電子放射式（パルス放電方式）のものが使用されている。
【００３５】
電子放射式のイオン発生器３０の構成は周知であって、マイナス電極として作用する放電針３１と、この放電針３１にパルス性の高圧電圧を印加するための昇圧部（昇圧回路）３２とで構成される。昇圧部３２の電源はソケット２を介して電極ピン２４，２４から供給されるＬＥＤ点灯用の電源が利用される。
【００３６】
もちろん、ソケット２からの電源は、（ソケット２−電極ピン２４，２４−電極切片４５，４５−電極ピン１５，１５）を介して管体１１内のＬＥＤ駆動回路（図示はしない）にも供給されるように結線されている。
【００３７】
図４および図７に示すように放電ケーブルの先端部のみが放電針３１として作用する。アダプター本体２１の周壁の一部に貫通孔２２が穿設され、この貫通孔２２に鍔付き中空筒体３５が嵌合固定され、その中空３５ａ内に放電針３１の先端部が臨むように取り付け固定される。中空筒体３５への放電針３１の取り付けおよび固定は筒状の装着部材３４によって行われる。放電針３１は中空筒体３５よりも外側には突出しないような位置で固定する。図では中空筒体３５の深さのほぼ半分以下位までしか突出させていない。
【００３８】
なお、放電針３１の太さは０．３〜０．４ｍｍ程度であり、中空筒体３５の内径は３〜４ｍｍ程度、中空筒体３５の深さは３〜４ｍｍ程度である。
【００３９】
以上のように構成された口金アダプター２０は、図４のように口金装着部４０内に装着胴部１４が装着され、その状態で係合片５０によって管体１１に嵌合固定される。器具本体１０Ｂをソケット２に装着固定する場合、口金アダプター２０の放電針３１は室内空間（照明空間）を向くように、したがって天井に照明器具１０を取り付ける場合には放電針３１が真下に向くように装着固定されることになる。
【００４０】
図４の状態であれば、口金アダプター２０は管体１１に装着固定されると共に、ソケット２からの電源は、（ソケット２−電極ピン２４，２４−電極切片４５−電極ピン１５、１５）のように流れるため、電気的に導通状態となっている。
【００４１】
したがって図１のように管体１１と口金アダプター２０を一対のソケット２と２の間に差し込んで固定すれば、電源スイッチを投入することでＬＥＤ１８に通電されてＬＥＤ１８が点灯する。
【００４２】
これと同時にイオン発生器３０にも所定の駆動電源が供給されることになるので、マイナス電極として作用する放電針３１にパルス性の高電圧が印加されて、放電針３１周りの空気中に直接電子が放出される。その結果、空気中に放出された電子が周りの酸素や水分と結合してマイナスイオンが形成されて、このマイナスイオンが室内空間に放出され、室内の除菌、滅菌が行われる。マイナスイオンは照明器具１０が使用状態にある間中室内に放出され続けるので、室内の全てにこの口金アダプター２０が付いた照明器具１０を設置した場合には、室内環境を効率よく改善できる。
【産業上の利用可能性】
【００４３】
この考案は、病院やオフィス、家庭の室内の天井などに設置して使用される照明器具に利用できる。
【符号の説明】
【００４４】
１０・・・照明器具
１０Ａ・・・フレーム
１０Ｂ・・・照明器具本体
１３・・・口金
１５，２４・・・電極ピン
２０・・・口金アダプター
２１・・・アダプター本体
３０・・・イオン発生器
３１・・・放電針
４０・・・口金装着部
【図１】
0003189543.tif 000003
【図２】
0003189543.tif 000004
【図３】
0003189543.tif 000005
【図４】
0003189543.tif 000006
【図５】
0003189543.tif 000007
【図６】
0003189543.tif 000008
【図７】
0003189543.tif 000009
【手続補正書】
【提出日】平成26年1月10日(2014.1.10)
【手続補正１】
【補正対象書類名】実用新案登録請求の範囲
【補正対象項目名】全文
【補正方法】変更
【補正の内容】
【実用新案登録請求の範囲】
【請求項１】
筒状のアダプター本体と、
その一端側に設けられた口金装着部と、
他端側に設けられたソケット装着用電極ピンと、
上記アダプター本体内に取り付けられた放電針を有するイオン発生器とで構成され、
上記放電針はアダプター本体の周壁に形成された貫通孔内に臨むように取り付けられた
ことを特徴とする口金アダプター。
【請求項２】
上記口金装着部には、一対の電極ピン付き口金を有する照明器具本体に対する係合片が設けられた
ことを特徴とする請求項１記載の口金アダプター。
【請求項３】
一対の電極ピン付き口金を有する照明器具本体と、
一方の口金に着脱自在に装着される口金アダプターとからなり、
上記口金アダプターは一端側に口金装着部を備え、他端部に一対の電極ピンを備えると共に、上記口金アダプターにはマイナスイオンを外部に放出するための放電針を有するイオン発生器が内蔵されてなる
ことを特徴とする照明器具。